(57)【要約】【課題】  夜間等でも足元前方側を広く照らすことにより、安全な歩行を提供すると共に、棒体部の形状等に関係なく多様な形状の照明ユニットを簡易に着脱することができる構成の照明付杖を提供する。【解決手段】  後方寄りに手握部６ａを有する横部材６と該横部材６の前方寄りの下面から下方向に延びる縦部材７を具備した略Ｔ字形状を有する把手部２と、前記縦部材７の下端にその上端が固定された所要長さの棒体部３と、該棒体部３の下端側に着脱自在に設けられて杖１の前方向を照明する発光源１６を有する照明ユニット４と、該照明ユニット４の下端側を覆う石突部５を具備することを特徴とする照明付杖１。【選択図】図１
0003137208.tif 000002
【実用新案登録請求の範囲】
【請求項１】
後方寄りに手握部を有する横部材と該横部材の前方寄りの下面から下方向に延びる縦部材を具備した略Ｔ字形状を有する把手部と、前記縦部材の下端にその上端が固定された所要長さの棒体部と、該棒体部の下端側に着脱自在に設けられて杖の前方向を照明する発光源を有する照明ユニットと、該照明ユニットの下端側を覆う石突部を具備することを特徴とする照明付杖。
【請求項２】
前記棒体部の上端側は、前方向へ湾曲した部分を有し、且つ、その上端が前記縦部材の下端と固定されていることを特徴とする請求項１に記載の照明付杖。
【請求項３】
前記照明ユニットは、筒状体で構成されると共に、前記発光源の電源と、該電源と前記発光源を接続又は切断するスイッチ部を有しており、該スイッチ部の操作部と前記発光源の先端が前記筒状体外周側表面から突出して設けられていることを特徴とする請求項１又は２に記載の照明付杖。
【請求項４】
前記操作部と前記筒状体との間にはスイッチカバーが、前記発光源と前記筒状体との間にはＯリングがそれぞれ設けられていることを特徴とする請求項１乃至３のいずれかに記載の照明付杖。
【請求項５】
前記発光源には、ＬＥＤ（発光ダイオード）を用いることを特徴とする請求項１乃至４のいずれかに記載の照明付杖。
【請求項６】
前記把手部と前記棒体部とが装飾リングを介して取り外し自在に連結されていることを特徴とする請求項１乃至５のいずれかに記載の照明付杖。
【考案の詳細な説明】
【技術分野】
【０００１】
本考案は、夜間や暗所等を移動する際に足元前方方向を照明することにより、安全な歩行を補助するための照明付杖に関するものである。
【背景技術】
【０００２】
従来から、夜間や暗所等で利用するために照明機能を有する杖が提案されてきており、足元の前方を明るく照明するために発光源に高輝度発光ダイオードを用いたもの等も開示されている（例えば、特許文献１参照）。この杖では、杖本体の凡そ半分以下となる箇所の前面側に高輝度発光ダイオードが取付けられており、該高輝度発光ダイオードを操作するためのスイッチが把手部に設けられている。
【０００３】
しかしながら、特許文献１に示すような杖では、スイッチが把手部分に設けられ、高輝度発光ダイオードが杖本体部分に備えられているので、杖本体の内部に配線が必要となるため、複雑な構造となる。そのため、故障時等においては、杖自体を交換もしくは修理する必要が生じる等の問題が起こる場合がある。
【０００４】
上記の問題を解決するために、発光ユニットをポール部（杖本体）及び／又はグリップ部（把手部）に対して着脱可能に設けられているステッキ類も提案されている（例えば、特許文献２参照）。
【特許文献１】特開２００２−１１９３１５号公報
【特許文献２】特開２００６−３１１８９１号公報
【考案の開示】
【考案が解決しようとする課題】
【０００５】
しかしながら、特許文献２に示すステッキ類では、ポール部の内部空間に発光ユニットを着脱可能に収容するために前記発光ユニットの収容部が前記ポール部に形成されることになる。そのため、前記発光ユニットの収容部の形状や大きさによって、収容できる前記発光ユニットの形状や大きさも限定される。
【０００６】
本考案は、これらの点に鑑みてなされたものであり、夜間や暗所でも足元前方側を広く照らすことにより、安全な歩行を提供すると共に、ポール部の形状等に関係なく多様な形状の照明ユニットを簡易に着脱することができる構成の照明付杖を提供することを目的とする。
【課題を解決するための手段】
【０００７】
上記の目的を達成するために請求項１に記載の照明付杖では、後方寄りに手握部を有する横部材と該横部材の前方寄りの下面から下方向に延びる縦部材を具備した略Ｔ字形状を有する把手部と、前記縦部材の下端にその上端が固定された所要長さの棒体部と、該棒体部の下端側に着脱自在に設けられて杖の前方向を照明する発光源を有する照明ユニットと、該照明ユニットの下端側を覆う石突部を具備することを特徴としている。
【０００８】
請求項２に記載の照明付杖は、棒体部の上端側は、前方向へ湾曲した部分を有し、且つ、その上端が前記縦部材の下端と固定されていることを特徴としている。
【０００９】
請求項３に記載の照明付杖は、前記照明ユニットは、筒状体で構成されると共に、前記発光源の電源と、該電源と前記発光源を接続又は切断するスイッチ部を有しており、該スイッチ部の操作部と前記発光源の先端が前記筒状体外周側表面から突出して設けられていることを特徴としている。
【００１０】
請求項４に記載の照明付杖は、前記操作部と前記筒状体との間にはスイッチカバーが、前記発光源と前記筒状体との間にはＯリングがそれぞれ設けられていることを特徴としている。
【００１１】
請求項５に記載の照明付杖は、前記発光源にＬＥＤ（発光ダイオード）を用いることを特徴としている。
【００１２】
請求項６に記載の照明付杖は、前記把手部と前記棒体部を装飾リングを介して、取り外し自在に連結されていることを特徴としている。
【考案の効果】
【００１３】
請求項１に記載の考案によれば、棒体部の下端側に、石突部により下端側が覆われる照明ユニットが着脱自在に設けられていることにより、前記棒体部の内部等に配線する必要がなく、簡易な構造で照明付杖を構成することができる。また、前記照明ユニットが故障した場合等には、該照明ユニットの部分のみを取り外して修理又は交換を容易にすることができるので、利便性に優れたものとなる。
【００１４】
更に、前記照明ユニットの上端側と下端側をそれぞれ棒体部の下端側と石突部の上端側に着脱可能な形状に構成しておけば、前記照明ユニットのその他の外観の形状は前記棒体部等の形状に影響されることがないので、汎用性の高いものとなる。
【００１５】
また、照明ユニットの発光源は、杖の前方向を照明するように備えられているので、使用者の足元前方方向を広く照らすことができ、夜間や暗所等でも障害物等を認識し易く、安全な歩行を補助することが可能となる。
【００１６】
請求項２に記載の考案によれば、前記棒体部の上端側は、前方向に湾曲して、前記縦部材の下端と固定されているので、使用者が横部材の後方寄りに有する手握部を握って、杖を使用した際に前記手握部に掛かる荷重を杖の下端に対してまっすぐに掛け易くすることができ、より安定した歩行を補助することが可能となる。
【００１７】
請求項３に記載の考案によれば、前記発光源の先端が筒状体からなる照明ユニットの外周側表面から突出して設けられているので、より広範囲に渡って照らすことが可能となる。また、スイッチ部の操作部の先端も前記筒状体外周側表面から突出して設けられているので、前記操作部によって、簡易に発光源を点灯又は消灯することができ、照明が必要のない場合等は消費電力を軽減することができる。
【００１８】
請求項４に記載の考案によれば、前記操作部と前記筒状体との間にはスイッチカバーが設けられ、前記発光源と前記筒状体との間にはＯリングが設けられた生活防水構造を有しているので、雨の日に使用する際でも雨水等の侵入を防ぐことができる。
【００１９】
請求項５に記載の考案によれば、発光源にLED（Light Emitting Diode）を用いることにより、低消費電力で長寿命な照明ユニットとして利用できる。また、高輝度を有するので、夜間や暗所においても足元前方方向をより明るく広範囲に照らすことができ、障害物等の存在をより認識し易くし、安全に歩行することができる。
【００２０】
請求項６に記載の考案によれば、前記把手部と前記棒体部は装飾リングを介して、取り外し自在に連結されているので、使用者の好みに応じて他の形状、色彩、模様等を有する把手部と取り替えることができ、又、非使用時には把手部と棒体部を分離してコンパクトに収納することが可能となる。
【考案を実施するための最良の形態】
【００２１】
以下に本考案における最良の実施形態について図面に基づいて説明する。図１は、本考案の実施の形態に係る照明付杖の全体を示す図である。
【００２２】
図１に示すように杖１は、使用者が握るための把手部２と、該把手部２の下端側に固定される所要長さの棒体部３と、照明ユニット４、及び石突部５から構成される。
【００２３】
前記把手部２は、略水平方向に延びる横部材６と該横部材６の下面から略垂直下方向に延びる縦部材７を具備した略Ｔ字形状を有している。前記横部材６には、前記縦部材７に対する後方側に使用者が握れる程度の径と長さを有する手握部６ａが形成されており、通常はこの手握部６ａを使用者が握って、杖１を操作するので、高齢の方でも握り易い程度の径に形成することが好ましい。また、把手部２の材質としては、使用者の握る感覚等を考慮して、木材を用いるのが好適である
【００２４】
把手部２の縦部材７の下端と棒体部３の上端は、図２に示すように装飾リング８により、縦部材７と棒体部３に跨っている軸９を締付け固定することで、取り外し自在に連結される。これにより、把手部２が破損した場合や形状等が異なる把手部２を使用する場合等は、把手部２のみを取り替えることもできる。したがって、汎用性の高い杖として利用できる。
【００２５】
また、棒体部３の上端側は、前方向に湾曲して縦部材７と連結固定されている。この湾曲は、使用者が手握部６ａを握って、杖１を使用する際に掛かる荷重を杖の先端に対してまっすぐ掛け易くするためのものであり、横部材６の中央部から鉛直下方向に延ばす直線上に杖の先端中央（石突部５の先端中央）が位置するように棒体部３の上端側が湾曲していることが好ましい。また、棒体部３は、使用者の歩行を支えるための強度を有する棒状体からなるものであり、本実施形態では木製のものを用いた例を示しているが、形状や材質は特にこれらに限定されるものではない。
【００２６】
図３に示すように、照明ユニット４は、棒体部３と石突部５の間に設けられており、照明ユニット４の上端側には、棒体部３の下端が挿入可能なように該棒体部３の外径より少し大径の凹部１０が形成されている。また、該凹部１０の下端には、シール板１１が敷かれており、該シール板１１により、雨水等が照明ユニット４内に侵入するのを防ぐと共に、前記シール板１１に当接するまで、棒体部３の下端部が凹部１０に挿入されることにより、前記照明ユニット４と棒体部３が連結される。
【００２７】
また、照明ユニット４の下端側は、小径部１２を有しており、石突部５の上端側には、前記小径部１２の外径より少し大径の凹部１３が形成されている。前記小径部１２は、前記凹部１３に挿入されることにより、石突部５に覆われた状態で連結される。
【００２８】
また、図４に示すように、照明ユニット４の上端側に小径部１２ａを形成し、棒体部３の下端側に前記小径部１２ａを挿入可能なように該小径部１２ａの外径より少し大径の凹部３ａを形成することにより、前記棒体部３と前記照明ユニット４を着脱可能に連結してもよい。ここでは、シール板１１の代わりに蓋１８ａを用いることにより、照明ユニット４の上端部を閉じている。
【００２９】
このように照明ユニット４の上端側と下端側をそれぞれ棒体部３の下端側と石突部５の上端側に着脱可能な形状に構成しておけば、照明ユニット４のその他の外観の形状は前記棒体部３等の形状に影響されることがないので、例えば、前記照明ユニット４内にバッテリー等の付加要素を組み込むために、少し棒体部３より太い形状が必要になるような場合でも着脱可能に取り付けることが可能であり、より汎用性の高い照明付杖を提供することができる。
【００３０】
また、図５に示すように本実施形態に係る石突部５では、先端が路面に接地された際に、滑りにくくするために同心円上に広がる溝部１４が先端部に形成されている。また、石突部５の材質としては、路面に接地した際の滑りを防ぐためにゴム製のものを用いることが好ましい。
【００３１】
前記照明ユニット４の構成は、図６に示すように、筒状体１５で構成されており、前記棒体部３の下端が挿入可能である大きさの凹部１０を上端側に有している。また、前記筒状体１５の外周側表面からは、図７（ａ）に示すようにＬＥＤ（発光ダイオード）１６の先端とスイッチ部１７の操作部１７ａの先端が突出して設けられている。また、前記ＬＥＤ１６は、図１に示すように手握部６ａと反対側の前方側方向である使用者の進行方向を照明するように備えられており、操作部１７ａはＬＥＤ１６の逆側方向に備えられている。この際、ＬＥＤ１６は使用者の足元前方側方向を照らすために、棒体部３の軸に対して直角方向よりも少し下向きに取り付けられることが好ましい。
【００３２】
また、図８に示すように、本実施形態における照明ユニット４では、小径部１２の下端側に裏蓋１８が取付けられており、該裏蓋１８の上には、電源として用いるボタン電池１９が積層されている。ここでは、小径部１２の下端側内周に雌ネジ２０が形成されており、裏蓋１８の先端側外周には前記雌ネジ２０と螺合する雄ネジ２１が形成されている。また、裏蓋１８の先端にはバネ２２が設けられており、該バネ２２によってボタン電池１９を押圧し、前記雌ネジ２０と前記雄ネジ２１が螺合されることにより、小径部１２の下端側が閉じられる。尚、ここでは電源としてボタン電池１９を使用しているが、充電式バッテリー等を用いることも当然に可能である。
【００３３】
前記ボタン電池１９の上には、電池の電極基盤２３が設けられており、その上には、該電極基盤２３とＬＥＤ基盤２４に挟まれて、スイッチ部１７が設けられている。該スイッチ部１７では、操作部１７ａがプッシュされることにより、ボタン電池１９から発光源であるＬＥＤ１６への電力供給を接続又は切断するための切り替えが行われる。
【００３４】
また、ＬＥＤ基盤２４の上には発光源であるＬＥＤ１６が設けられており、前記操作部１７ａのプッシュ操作により、出力された信号が前記ＬＥＤ基盤２４内の回路を介して伝達されることにより、ＬＥＤ１６が点灯又は消灯する。尚、ここではプッシュ式の操作部１７ａを用いているが、前記操作部は、トグル式やスライド式等の操作部１７ａを用いることも当然に可能である。
【００３５】
また、前記照明ユニット４では、筒状体１５の表面から突出しているＬＥＤ１６の先端部分と該筒状体１５との間に、Ｏリング２５が設けられている。更に、スイッチ部１７の操作部１７ａと筒状体１５との間には、ゴムシールパッキン（スイッチカバー）２６が設けられている。これらにより、筒状体１５とＬＥＤ１６又は操作部１７ａの間から雨水等が侵入するのを防ぐことができる。
【００３６】
図９に示すように、本考案に係る照明付杖１では、使用者は手握部６ａを握って、杖１を使用する。この際、照明ユニット４は棒体部３と石突部５の間に位置し、前記照明ユニット４の発光源であるＬＥＤ１６は、手握部６ａと反対側の前方側方向である使用者の進行方向を照明するように備えられている。これにより、使用者の足元前方方向を広範囲に渡って明るく照明することが可能となるので、夜間や暗所等でも使用者は路面の凹凸や障害物等を認識し易くなり、安全な歩行を行うことが可能となる。
【００３７】
尚、歩行時に杖を使用する場合において、歩く姿勢によって、杖が前方や後方へ傾くが、この時には発光源であるＬＥＤ１６の先端が下方を照らしたり上方を照らしたりするので、必ずしも歩行者の足元の先を照らすとは限らなくなるので、杖の地面に対する傾斜角度に関係なく、常時歩行者の足元の先を照らすようにするために、例えば、棒体部３と照明ユニット４の間に、ユニバーサルジョイントのような継手を設けるようにしてもよい。
【図面の簡単な説明】
【００３８】
【図１】本考案に係る照明付杖の全体を示す図である。
【図２】把手部と棒体部の連結の仕方を示す断面図である。
【図３】図１における断面Ａ−Ａを示す拡大断面図である。
【図４】照明ユニットと棒体部の他の連結の仕方を示す断面図である。
【図５】石突部の斜視図である。
【図６】照明ユニットの外観を示す斜視図である。
【図７】照明ユニットの外観を示すもので、（ａ）は照明ユニットの側面図、（ｂ）は照明ユニットの正面図である。
【図８】図６における断面Ｂ−Ｂを示す断面図である。
【図９】本考案に係る照明付杖の使用例を示す図である。
【符号の説明】
【００３９】
１          杖
２          把手部
３          棒体部
４          照明ユニット
５          石突部
６          横部材
６ａ        手握部
７          縦部材
８          装飾リング
１５        筒状体
１６        ＬＥＤ（発光ダイオード）
１７        スイッチ部
１７ａ      操作部
１９        ボタン電池
２５        Ｏリング
２６        ゴムシールパッキン（スイッチカバー）
【図１】
0003137208.tif 000003
【図２】
0003137208.tif 000004
【図３】
0003137208.tif 000005
【図４】
0003137208.tif 000006
【図５】
0003137208.tif 000007
【図６】
0003137208.tif 000008
【図７】
0003137208.tif 000009
【図８】
0003137208.tif 000010
【図９】
0003137208.tif 000011